(57)【要約】【課題】十分な小型軽量化を図りつつも、良好な光学性能を維持することができる撮像レンズおよびこれを備えた撮像装置を提供すること。【解決手段】物体側から像面側に向かって順に、絞り２、正のパワーを有する両凸レンズとされた第１レンズ３、負のパワーを有する第２レンズ４、正のパワーを有する第３レンズ５、および両凹レンズとされた第４レンズ６を配設し、０．７≦ＦＬ／ｆ１≦３．０（但し、ＦＬ：レンズ系全体の焦点距離、ｆ１：第１レンズの焦点距離）の条件式を満足すること。【選択図】図１
2008185880.tif 000002
【特許請求の範囲】
【請求項１】
物体側から像面側に向かって順に、絞り、正のパワーを有する両凸レンズとされた第１レンズ、負のパワーを有する第２レンズ、正のパワーを有する第３レンズ、および負のパワーを有する両凹レンズとされた第４レンズを配設し、次の（１）に示す条件式、
０．７≦ＦＬ／ｆ１≦３．０    （１）
但し、
ＦＬ：レンズ系全体の焦点距離
ｆ１：第１レンズの焦点距離
を満足することを特徴とする撮像レンズ。
【請求項２】
更に、次の（２）に示す条件式、
０．３≦ＦＬ／｜ｆ２｜≦２．８      （２）
但し、
｜ｆ２｜：第２レンズの焦点距離の絶対値
を満足することを特徴とする請求項１に記載の撮像レンズ。
【請求項３】
更に、次の（３）に示す条件式、
１．３≦ＦＬ／｜ｆ４｜≦２．５      （３）
但し、
｜ｆ４｜：第４レンズの焦点距離の絶対値
を満足することを特徴とする請求項１または２に記載の撮像レンズ。
【請求項４】
更に、次の（４）に示す条件式、
０．３≦（ｒ７＋ｒ８）／（−ｒ７＋ｒ８）≦１．２      （４）
但し、
ｒ７：第４レンズの物体側の面の中心曲率半径
ｒ８：第４レンズの像面側の面の中心曲率半径
を満足することを特徴とする請求項１〜３のいずれか１項に記載の撮像レンズ。
【請求項５】
請求項１〜４のいずれか１項に記載の撮像レンズと、撮像素子とを備えたこと
を特徴とする撮像装置。
【発明の詳細な説明】
【技術分野】
【０００１】
本発明は、撮像レンズおよびこれを備えた撮像装置に係り、特に、携帯型のコンピュータ、テレビ電話、携帯電話、デジタルカメラまたは車載用監視カメラ等に搭載されるＣＣＤやＣＭＯＳ等の撮像素子の撮像面に物体の像を結像させるのに好適な４枚レンズ構成の撮像レンズおよびこれを備えた撮像装置に関する。
【背景技術】
【０００２】
近年、携帯型のコンピュータ、テレビ電話、携帯電話、デジタルカメラまたは車載用監視カメラ等に搭載されるＣＣＤ、ＣＭＯＳ等の撮像素子（固体撮像素子）を利用したカメラの需要が著しく高まっている。このようなカメラは、限られた設置スペースに搭載する必要があることから、小型であり、かつ、軽量であることが望まれている。
【０００３】
さらに、このようなカメラに搭載される撮像素子として、従前は、ＣＩＦと呼ばれる約１１万画素程度の解像度を持った固体撮像素子や、ＶＧＡと呼ばれる約３０万画素の高い解像度を有する固体撮像素子が主流とされていたが、最近では、１００万画素を超えるより高解像度のものが採用されるようになっている。
【０００４】
このため、このようなカメラに用いられる撮像レンズにも、カメラと同様に小型軽量かつ高解像度であることが要求されており、このような要求に応えるべく、これまでにも、例えば、特許文献１および２に示すような４枚のレンズを用いた４枚構成のレンズ系が採用されていた。
【０００５】
【特許文献１】特開平１−３０７７１４号公報
【特許文献２】特開２００２−３６５５２９号公報
【発明の開示】
【発明が解決しようとする課題】
【０００６】
しかしながら、特許文献１に記載のレンズ系は、第１レンズが物体側に凸面を向けたメニスカスレンズであるため、パワーが稼ぎにくく、小型軽量化にはなお不十分であるといった問題点を有している。
【０００７】
また、特許文献２に記載のレンズ系は、第４レンズの物体側の面が凸面になっているため、第４レンズの負のパワーが弱いにもかかららず第４レンズの物体側の面に対する軸外光の光線入射角度が大きくなり、これにより、非点収差が大きくなるといった光学性能上の問題点と、レンズの外径が大きくなり小型軽量化にはなお不十分であるといった問題点とを有している。
【０００８】
そこで、本発明は、このような問題点に鑑みなされたものであり、十分な小型軽量化を図りつつも、良好な光学性能を維持することができる撮像レンズおよびこれを備えた撮像装置を提供することを目的とするものである。
【課題を解決するための手段】
【０００９】
前述した目的を達成するため、本発明の請求項１に係る撮像レンズの特徴は、物体側から像面側に向かって順に、絞り、正のパワーを有する両凸レンズとされた第１レンズ、負のパワーを有する第２レンズ、正のパワーを有する第３レンズ、および負のパワーを有する両凹レンズとされた第４レンズを配設し、次の（１）に示す条件式、
０．７≦ＦＬ／ｆ１≦３．０    （１）
但し、
ＦＬ：レンズ系全体の焦点距離
ｆ１：第１レンズの焦点距離
を満足する点にある。
【００１０】
そして、この請求項１に係る発明によれば、レンズ枚数が少ない簡易な４枚玉のレンズ構成を用いるとともに、（１）の条件式を満足するようにすることにより、レンズ系の外径および全長を短縮化するとともに、収差を効果的に抑制し、また、テレセントリック性を維持し、さらに、必要なバックフォーカス距離を確保することが可能となる。
【００１１】
また、請求項２に係る撮像レンズの特徴は、請求項１において、更に、次の（２）に示す条件式、
０．３≦ＦＬ／｜ｆ２｜≦２．８      （２）
但し、
｜ｆ２｜：第２レンズの焦点距離の絶対値
を満足する点にある。
【００１２】
そして、この請求項２に係る発明によれば、更に、（２）の条件式を満足するようにすることにより、像面湾曲等の収差をさらに効果的に抑制し、また、テレセントリック性をさらに確実に維持し、さらに、必要なバックフォーカス距離をより確実に確保することが可能となる。
【００１３】
さらに、請求項３に係る撮像レンズの特徴は、請求項１または２において、更に、次の（３）に示す条件式、
１．３≦ＦＬ／｜ｆ４｜≦２．５      （３）
但し、
｜ｆ４｜：第４レンズの焦点距離の絶対値
を満足する点にある。
【００１４】
そして、この請求項３に係る発明によれば、更に、（３）の条件式を満足するようにすることにより、テレセントリック性を維持し、必要なバックフォーカス距離を確保しつつ、像面湾曲およびディストーションをさらに効果的に抑制することが可能となる。
【００１５】
さらにまた、請求項４に係る撮像レンズの特徴は、請求項１〜３のいずれか１項において、更に、次の（４）に示す条件式、
０．３≦（ｒ７＋ｒ８）／（−ｒ７＋ｒ８）≦１．２      （４）
但し、
ｒ７：第４レンズの物体側の面の中心曲率半径
ｒ８：第４レンズの像面側の面の中心曲率半径
を満足する点にある。
【００１６】
そして、この請求項４に係る発明によれば、更に、（４）の条件式を満足するようにすることにより、テレセントリック性をさらに確実に維持するとともに、ディストーション、非点収差および像面湾曲をバランス良く抑制することが可能となる。
【００１７】
また、本発明に係る撮像装置の特徴は、請求項１〜４のいずれか１項に記載の撮像レンズと、撮像素子とを備えた点にある。
【００１８】
そして、この請求項５に係る発明によれば、レンズ系の外径および全長を短縮化するとともに、収差を効果的に抑制し、また、テレセントリック性を維持し、さらに、必要なバックフォーカス距離を確保することが可能となる。
【発明の効果】
【００１９】
本発明に係る撮像レンズによれば、十分な小型軽量化を図りつつも、良好な光学性能を維持することができる。特に、良好な光学性能の維持として、高解像度でありながら、諸収差を効果的に抑制することができるとともに、テレセントリック性を維持することができる。また、必要なバックフォーカス距離を確保することができる。
【発明を実施するための最良の形態】
【００２０】
以下、本発明に係る撮像レンズおよび撮像装置の実施形態について、図１を参照して説明する。
【００２１】
図１に示すように、本実施形態における撮像レンズ１は、物体側から像面側に向かって順に、絞り２と、正のパワーを有する両凸レンズとされた第１レンズ３と、負のパワーを有する第２レンズ４と、正のパワーを有する第３レンズ５と、両凹レンズとされた第４レンズ６とを有している。各レンズ３、４、５、６は、シクロオレフィンコポリマー、シクロオレフィンポリマー、ポリカーボネート等の樹脂材料の射出成形法や、シリコーン樹脂を用いて各々成形することができる。
【００２２】
以下、各レンズ３、４、５、６における物体側および像面側の各レンズ面を、必要に応じてそれぞれ第１面３ａ、４ａ、５ａ、６ａ、第２面３ｂ、４ｂ、５ｂ、６ｂと称することとする。
【００２３】
第４レンズ６の第２面６ｂ側には、カバーガラス、ＩＲカットフィルタ、ローパスフィルタ等の各種フィルタ７およびＣＣＤあるいはＣＭＯＳ等の撮像素子の受光面である撮像面８がそれぞれ配設されている。
【００２４】
そして、このような撮像レンズ１、フィルタ７および撮像素子と、撮像素子を駆動する図示しない電源および回路と、撮像レンズ１を収容する図示しないホルダとによって、本実施形態における撮像装置が構成されるようになっている。なお、フィルタ７は、必要に応じて省略することも可能である。
【００２５】
ここで、レンズの枚数が５枚以上となると、レンズ系の全長が長くなり過ぎて小型軽量化には適さないことになり、また、絞りの位置が像面側に近づくほど、射出瞳位置が像面に近づくことになり、テレセントリック性を維持することが困難となる。
【００２６】
したがって、本実施形態によれば、４枚構成のレンズ系を採用したことにより、小型軽量化を図ることが可能となり、また、絞りを最も物体側すなわち第１レンズ３の物体側に配置することにより、テレセントリック性を確実に維持することが可能となる。
【００２７】
また、前述したように、第１レンズを物体側に凸面を向けたメニスカスレンズとした場合には、パワーを稼ぎにくいため、小型軽量化には適さない構成となるうえに、第１レンズの物体側に絞りを配置した場合には、広画角における各レンズ面への光の入射角度が大きくなるため、収差が大きくなることになる。
【００２８】
一方、第１レンズを物体側に凹面を向けたメニスカスレンズとした場合には、第１レンズの物体側に絞りを配置することによって収差の発生を抑制することはできるものの、パワーを稼ぐのが困難となり、小型軽量化には不向きとなる。
【００２９】
したがって、本実施形態によれば、第１レンズ３を両凸レンズとすることによって、絞り２の配置位置と相まって、パワーを確実に稼いで小型軽量化にさらに好適な構成にすることが可能となるとともに、収差を効果的に抑制することが可能となる。
【００３０】
さらに、本実施形態によれば、第２レンズ４が絞り２に近い位置において負のパワーを有しているため、軸外収差を悪化させることなく像面湾曲を抑制することが可能となる。なお、このような収差を抑制する効果は、第２レンズ４を、中心側から周辺側に向かって負のパワーが増加するような非球面形状にすれば、更に高めることが可能となる。また、第２レンズ４の材料として、分散が大きい材料すなわち高分散材料を用いることにより、色収差を良好に補正することが可能となる。
【００３１】
さらにまた、本実施形態によれば、第３レンズ５が正のパワーを有しているため、必要なバックフォーカス距離を有効に確保することが可能となるとともに、テレセントリック性をさらに確実に維持することが可能となる。なお、第３レンズ５における第２面５ｂの中心曲率半径を小さくすれば、収差をさらに効果的に抑制することが可能となる。
【００３２】
また、前述したように、第４レンズの第１面を凸面にすると、第４レンズの負のパワーが弱いにもかかららず第４レンズの第１面に対する軸外光の光線入射角度が大きくなり、これにより、非点収差が大きくなるとともに、第１〜第３レンズ３、４、５による収差の補正効果を有効に利用することができなくなり、さらに、レンズの外径が大きくなり小型軽量化が困難となる。
【００３３】
したがって、本実施形態によれば、第４レンズ６を両凹レンズとすることによって、非点収差、像面湾曲およびディストーションをバランス良く補正することが可能となるとともに、レンズ外径（有効径）を小さくして更なる小型軽量化を図ることが可能となる。また、第３レンズ５に比較的強い正のパワーを持たせることができ、必要なバックフォーカス距離の確保およびテレセントリック性の維持のために更に好適な構成とすることが可能となる。
【００３４】
なお、第４レンズ６の第２面６ｂを、中心側から周辺側に向かって凸形状となるようにすれば、像面湾曲およびディストーションをさらにバランス良く補正することが可能となるとともに、テレセントリック性をさらに確実に維持することが可能となる。
【００３５】
上記構成に加えて、更に、本実施形態においては、次の（１）に示す条件式を満足するようにする。
【００３６】
０．７≦ＦＬ／ｆ１≦３．０    （１）
但し、（１）式におけるＦＬは、レンズ系全体の焦点距離である（以下、同様）。また、（１）式におけるｆ１は、第１レンズ３の焦点距離である（以下、同様）。
【００３７】
ここで、ＦＬ／ｆ１の値が（１）式に示す値（０．７）よりも小さくなると、正のパワーが稼ぎにくくなり、小型軽量化が困難となる。
【００３８】
一方、ＦＬ／ｆ１の値が（１）式に示す値（３．０）よりも大きくなると、収差の補正および必要なバックフォーカス距離の確保が困難となり、さらに、テレセントリック性が悪化することとなる。
【００３９】
したがって、本実施形態によれば、ＦＬ／ｆ１の値が（１）の条件式を満足するようにすることにより、更なる小型軽量化が可能となるとともに、収差を更に適切に補正し、必要なバックフォーカス距離を更に確実に確保し、テレセントリック性を更に向上させることが可能となる。
【００４０】
なお、ＦＬとｆ１との関係は、１．０≦ＦＬ／ｆ１≦２．７とされることが、より好ましい。
【００４１】
上記構成に加えて、更に、本実施形態においては、次の（２）に示す条件式を満足するようにする。
【００４２】
０．３≦ＦＬ／｜ｆ２｜≦２．８      （２）
但し、（２）式における｜ｆ２｜は、第２レンズ４の焦点距離（すなわちｆ２）の絶対値である（以下、同様）。
【００４３】
ここで、ＦＬ／｜ｆ２｜の値が（２）式に示す値（０．３）よりも小さくなると、像面湾曲およびディストーションの補正が困難となるとともに、必要なバックフォーカス距離の確保が困難となる。また、前述したように、第２レンズ４の材料を高分散材料とした場合における色収差の補正効果（色消し効果）が低減されることとなる。
【００４４】
一方、ＦＬ／｜ｆ２｜の値が（２）式に示す値（２．８）よりも大きくなると、必要なバックフォーカス距離の確保が困難となるとともに、テレセントリック性が悪化することとなる。
【００４５】
したがって、本実施形態によれば、ＦＬ／｜ｆ２｜の値を（２）の条件式を満足するようにすることにより、像面湾曲およびディストーションを更に効果的に抑制し、また、テレセントリック性をさらに確実に維持し、さらに、必要なバックフォーカス距離をより確実に確保することが可能となる。
【００４６】
なお、ＦＬと｜ｆ２｜との関係は、０．７≦ＦＬ／｜ｆ２｜≦２．３とされることが、より好ましい。
【００４７】
上記構成に加えて、更に、本実施形態においては、次の（３）に示す条件式を満足するようにする。
【００４８】
１．３≦ＦＬ／｜ｆ４｜≦２．５      （３）
但し、（３）式における｜ｆ４｜は、第４レンズ６の焦点距離（すなわちｆ４）の絶対値である（以下、同様）。
【００４９】
ここで、ＦＬ／｜ｆ４｜の値が（３）式に示す値（１．３）よりも小さくなると、像面湾曲およびディストーションの補正が困難となる。
【００５０】
一方、ＦＬ／｜ｆ４｜の値が（３）式に示す値（２．５）よりも大きくなると、必要なバックフォーカス距離を確保することが困難となるとともに、テレセントリック性が悪化することとなる。
【００５１】
したがって、本実施形態によれば、ＦＬ／｜ｆ４｜の値を（３）の条件式を満足するようにすることにより、像面湾曲およびディストーションを更に効果的に抑制することが可能となるとともに、必要なバックフォーカス距離を更に確実に確保し、テレセントリック性を更に確実に維持することが可能となる。
【００５２】
なお、ＦＬと｜ｆ４｜との関係は、１．６５≦ＦＬ／｜ｆ４｜≦２．３０とされることが、より好ましい。
【００５３】
上記構成に加えて、更に、本実施形態においては、次の（４）に示す条件式を満足するようにする。
【００５４】
０．３≦（ｒ７＋ｒ８）／（−ｒ７＋ｒ８）≦１．２      （４）
但し、（４）式におけるｒ７は、第４レンズ６の第１面６ａの中心曲率半径である。また、（４）式におけるｒ８は、第４レンズ６の第２面６ｂの中心曲率半径である。
【００５５】
ここで、（ｒ７＋ｒ８）／（−ｒ７＋ｒ８）の値が（４）式に示す値（０．３）よりも小さくなると、テレセントリック性およびディストーションが悪化するとともに、レンズ面への軸外光線の入射角度が大きくなり、非点収差が大きくなる。
【００５６】
一方、（ｒ７＋ｒ８）／（−ｒ７＋ｒ８）の値が（４）式に示す値（１．２）よりも大きくなると、第４レンズ６の第１面６ａの周辺部における傾斜がきつくなり過ぎるとともに、第４レンズ６の第２面６ｂにおける中心部を非球面に形成し難くなるため、ディストーション、像面湾曲および非点収差をバランス良く補正することが困難となる。
【００５７】
したがって、本実施形態によれば、（ｒ７＋ｒ８）／（−ｒ７＋ｒ８）の値を（４）の条件式を満足するようにすることにより、テレセントリック性をさらに確実に維持するとともに、ディストーション、非点収差および像面湾曲をバランス良く抑制することが可能となる。
【００５８】
なお、（ｒ７＋ｒ８）と（−ｒ７＋ｒ８）との関係は、０．２８≦（ｒ７＋ｒ８）／（−ｒ７＋ｒ８）≦０．９０とされることが、より好ましい。
【実施例】
【００５９】
次に、本発明の実施例について、図２乃至図３５を参照して説明する。
【００６０】
ここで、以下の実施例において、Ｆｎｏは、Ｆナンバーを、ωは、半画角を、ｒは、光学面の曲率半径（非球面の場合には中心曲率半径）をそれぞれ示す。また、ｄは、次の光学面までの光軸９上の距離を、ｎｄは、ｄ線（黄色）を照射した場合における各光学系の屈折率を、νｄは、同じくｄ線を基準にした各光学系のアッベ数をそれぞれ示す。
【００６１】
ｋ、Ａ、Ｂ、Ｃ、Ｄ、Ｅは、次の（５）式における各係数を示す。すなわち、レンズの非球面の形状は、光軸９方向にＺ軸、光軸９に直交する方向にＸ軸をとり、光の進行方向を正とし、ｋを円錐係数、Ａ、Ｂ、Ｃ、Ｄ、Ｅを非球面係数、ｒを中心曲率半径としたとき次式で表される。
【００６２】
Ｚ（Ｘ）＝ｒ−１ Ｘ２ ／［１＋｛１−（ｋ＋１）ｒ−２ Ｘ２  ｝１／２ ］
＋ＡＸ４  ＋ＢＸ６  ＋ＣＸ８ ＋ＤＸ１０＋ＥＸ１２       （５）
また、以下の実施例において、円錐係数および非球面係数を表す数値に用いられる記号Ｅは、その次に続く数値が１０を底としたべき指数であることを示し、その１０を底としたべき指数で表される数値が、Ｅの前の数値に乗算されることを示す。例えば、−２．６１Ｅ＋１は、−２．６１×１０であることを示す。
＜第１実施例＞
図２は、本発明の第１実施例を示したもので、本実施例においては、第４レンズ６の第２面６ｂと撮像面８との間に、フィルタ７としてのカバーガラスを配置している。また、本実施例において、絞り２は、光軸９（Ｚ軸）方向における位置が、第１レンズ３における第１面３ａの面頂点の位置と一致している。したがって、絞り２と第１レンズ３の第１面３ａとは、以下のレンズデータにおいて同一の面番号を付して扱うこととする。
【００６３】
この第１実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  2.989      1.13        1.5310      56.0
２（第１レンズ第２面）        -2.449      0.15
３（第２レンズ第１面）        21.295      0.45        1.5850      30.0
４（第２レンズ第２面）         1.763      0.50
５（第３レンズ第１面）       -10.553      1.27        1.5310      56.0
６（第３レンズ第２面）        -1.162      0.48
７（第４レンズ第１面）        -1.533      0.55        1.5310      56.0
８（第４レンズ第２面）         5.238      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -2.61E+1   8.82E-2    -1.27E-1    8.34E-2   -4.18E-2    0.00
２     0.00     -4.91E-2     2.28E-2   -1.90E-2    2.14E-3    0.00
３     0.00     -1.49E-1     6.84E-2   -3.97E-3    1.55E-4    0.00
４    -5.97E-1  -1.05E-1     4.75E-2   -1.31E-2    4.15E-3    0.00 
５     0.00      1.83E-2     2.96E-2   -2.04E-2    4.40E-3    0.00
６    -8.31E-1   1.37E-1    -4.65E-2    2.42E-2   -3.91E-3    0.00
７    -4.44      4.91E-2    -4.61E-2    1.76E-2   -2.83E-3    1.62E-4
８     0.00     -4.26E-2     5.87E-3   -1.57E-3    2.86E-4   -2.27E-5
【００６４】
このような条件の下で、ＦＬ／ｆ１＝１．７０９となり、（１）式を満足するものであった。また、ＦＬ／｜ｆ２｜＝１．４１４となり、（２）式を満足するものであった。さらに、ＦＬ／｜ｆ４｜＝２．１５０となり、（３）式を満足するものであった。さらにまた、（ｒ７＋ｒ８）／（−ｒ７＋ｒ８）＝０．５４７となり、（４）式を満足するものであった。
【００６５】
この第１実施例の撮像レンズ１における球面収差、非点収差およびディストーションを図３に示す。
【００６６】
この結果によれば、球面収差、非点収差およびディストーションのいずれもほぼ満足できる結果となり、十分な光学特性を得ることができることが分かる。
＜第２実施例＞
図４は、本発明の第２実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【００６７】
この第２実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  3.017      1.16        1.5310      56.0
２（第１レンズ第２面）        -1.618      0.10
３（第２レンズ第１面）        -8.341      0.48        1.5850      30.0
４（第２レンズ第２面）         1.837      0.66
５（第３レンズ第１面）        -3.892      0.88         1.5310     56.0
６（第３レンズ第２面）        -1.137      0.47
７（第４レンズ第１面）        -1.978      0.55        1.5310      56.0
８（第４レンズ第２面）         4.346      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -3.21E+1   8.54E-2    -1.44E-1    6.83E-2   -4.32E-2    0.00
２     0.00      2.19E-2    -1.49E-2   -4.80E-3    1.15E-3    0.00
３     0.00     -9.53E-2     7.10E-2   -9.40E-3    4.43E-3    0.00
４    -5.24E-1  -1.11E-1     7.67E-2   -3.32E-2    1.25E-2    0.00 
５     0.00      6.44E-3     2.26E-2   -1.95E-2    1.90E-3    0.00
６    -8.70E-1   1.37E-1    -4.54E-2    1.98E-2   -3.39E-3    0.00
７    -7.69      4.61E-2    -4.49E-2    1.77E-2   -3.01E-3    1.88E-4
８     0.00     -5.55E-2     9.15E-3   -1.95E-3    2.72E-4   -1.58E-5
【００６８】
このような条件の下で、ＦＬ／ｆ１＝２．１４９となり、（１）式を満足するものであった。また、ＦＬ／｜ｆ２｜＝１．８５４となり、（２）式を満足するものであった。さらに、ＦＬ／｜ｆ４｜＝１．８８０となり、（３）式を満足するものであった。さらにまた、（ｒ７＋ｒ８）／（−ｒ７＋ｒ８）＝０．３７５となり、（４）式を満足するものであった。
【００６９】
この第２実施例の撮像レンズ１における球面収差、非点収差およびディストーションを図５に示す。
【００７０】
この結果によれば、球面収差、非点収差およびディストーションのいずれもほぼ満足できる結果となり、十分な光学特性を得ることができることが分かる。
＜第３実施例＞
図６は、本発明の第３実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【００７１】
この第３実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  3.017      1.18        1.5310      56.0
２（第１レンズ第２面）        -1.900      0.10
３（第２レンズ第１面）       -38.220      0.48        1.5850      30.0
４（第２レンズ第２面）         1.776      0.64
５（第３レンズ第１面）        -4.086      0.88         1.5310     56.0
６（第３レンズ第２面）        -1.147      0.48
７（第４レンズ第１面）        -1.990      0.60        1.5310      56.0
８（第４レンズ第２面）         4.493      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -3.02E+1   8.97E-2    -1.37E-1    7.32E-2   -3.44E-2    0.00
２     0.00     -9.07E-3     5.78E-3   -1.09E-2    1.50E-3    0.00
３     0.00     -1.12E-1     7.35E-2   -6.38E-3    5.31E-4    0.00
４    -5.24E-1  -1.07E-1     6.16E-2   -2.25E-2    8.24E-3    0.00 
５     0.00      1.18E-2     2.81E-2   -2.17E-2    3.00E-3    0.00
６    -8.55E-1   1.36E-1    -4.40E-2    2.19E-2   -3.97E-3    0.00
７    -7.61      4.71E-2    -4.54E-2    1.78E-2   -2.98E-3    1.83E-4
８     0.00     -5.09E-2     7.94E-3   -1.82E-3    2.76E-4   -1.75E-5
【００７２】
このような条件の下で、ＦＬ／ｆ１＝１．９５０となり、（１）式を満足するものであった。また、ＦＬ／｜ｆ２｜＝１．６２３となり、（２）式を満足するものであった。さらに、ＦＬ／｜ｆ４｜＝１．８５５となり、（３）式を満足するものであった。さらにまた、（ｒ７＋ｒ８）／（−ｒ７＋ｒ８）＝０．３８６となり、（４）式を満足するものであった。
【００７３】
この第３実施例の撮像レンズ１における球面収差、非点収差およびディストーションを図７に示す。
【００７４】
この結果によれば、球面収差、非点収差およびディストーションのいずれもほぼ満足できる結果となり、十分な光学特性を得ることができることが分かる。
＜第４実施例＞
図８は、本発明の第４実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【００７５】
この第４実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  2.760      1.11        1.5310      56.0
２（第１レンズ第２面）        -2.481      0.15
３（第２レンズ第１面）        94.876      0.45        1.5850      30.0
４（第２レンズ第２面）         1.849      0.59
５（第３レンズ第１面）        -6.326      1.04        1.5310     56.0
６（第３レンズ第２面）        -1.321      0.52
７（第４レンズ第１面）        -2.408      0.59        1.5310      56.0
８（第４レンズ第２面）         4.897      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -2.24E-1   9.64E-2    -1.32E-1    7.96E-2   -3.90E-2    0.00
２     0.00     -4.20E-2     6.99E-3   -5.11E-3   -3.96E-3    0.00
３     0.00     -1.25E-1     7.17E-2   -9.45E-3    5.08E-4    0.00
４    -3.55E-1  -9.80E-2     5.48E-2   -1.80E-2    5.39E-3    0.00 
５     0.00      4.09E-3     1.04E-2   -7.63E-3   -1.89E-4    0.00
６    -6.25E-1   1.18E-1    -3.86E-2    1.84E-2   -2.77E-3    0.00
７    -9.83      4.88E-2    -4.74E-2    1.74E-2   -2.75E-3    1.59E-4
８     0.00     -2.80E-2     3.65E-5   -8.71E-4    2.72E-4   -2.23E-5
【００７６】
このような条件の下で、ＦＬ／ｆ１＝１．７５８となり、（１）式を満足するものであった。また、ＦＬ／｜ｆ２｜＝１．４５１となり、（２）式を満足するものであった。さらに、ＦＬ／｜ｆ４｜＝１．５７９となり、（３）式を満足するものであった。さらにまた、（ｒ７＋ｒ８）／（−ｒ７＋ｒ８）＝０．３４１となり、（４）式を満足するものであった。
【００７７】
この第４実施例の撮像レンズ１における球面収差、非点収差およびディストーションを図９に示す。
【００７８】
この結果によれば、球面収差、非点収差およびディストーションのいずれもほぼ満足できる結果となり、十分な光学特性を得ることができることが分かる。
＜第５実施例＞
図１０は、本発明の第５実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【００７９】
この第５実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  3.050      1.12        1.5310      56.0
２（第１レンズ第２面）        -2.502      0.15
３（第２レンズ第１面）        11.195      0.45        1.5850      30.0
４（第２レンズ第２面）         1.721      0.56
５（第３レンズ第１面）        -5.700      1.07        1.5310     56.0
６（第３レンズ第２面）        -1.204      0.52
７（第４レンズ第１面）        -1.991      0.55        1.5310      56.0
８（第４レンズ第２面）         4.445      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -2.85E+1   8.82E-2    -1.30E-1    8.04E-2   -3.67E-2    0.00
２     0.00     -5.18E-2     2.49E-2   -1.72E-2    1.35E-3    0.00
３     0.00     -1.43E-1     7.23E-2   -4.26E-3   -8.80E-4    0.00
４    -5.58E-1  -1.04E-1     4.71E-2   -1.26E-2    4.19E-3    0.00 
５     0.00      2.09E-2     3.02E-2   -2.24E-2    4.70E-3    0.00
６    -8.30E-1   1.33E-1    -4.51E-2    2.43E-2   -4.18E-3    0.00
７    -7.51      4.95E-2    -4.62E-2    1.76E-2   -2.83E-3    1.65E-4
８     0.00     -4.54E-2     6.01E-3   -1.56E-3    2.88E-4   -2.03E-1
【００８０】
このような条件の下で、ＦＬ／ｆ１＝１．６７７となり、（１）式を満足するものであった。また、ＦＬ／｜ｆ２｜＝１．３２５となり、（２）式を満足するものであった。さらに、ＦＬ／｜ｆ４｜＝１．８５６となり、（３）式を満足するものであった。さらにまた、（ｒ７＋ｒ８）／（−ｒ７＋ｒ８）＝０．３８１となり、（４）式を満足するものであった。
【００８１】
この第５実施例の撮像レンズ１における球面収差、非点収差およびディストーションを図１１に示す。
【００８２】
この結果によれば、球面収差、非点収差およびディストーションのいずれもほぼ満足できる結果となり、十分な光学特性を得ることができることが分かる。
＜第６実施例＞
図１２は、本発明の第６実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【００８３】
この第６実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  2.053      1.05        1.5310      56.0
２（第１レンズ第２面）        -4.701      0.10
３（第２レンズ第１面）       -12.952      0.45        1.5850      30.0
４（第２レンズ第２面）         2.664      0.57
５（第３レンズ第１面）        -4.145      1.05        1.5310     56.0
６（第３レンズ第２面）        -1.080      0.56
７（第４レンズ第１面）        -1.332      0.62        1.5310      56.0
８（第４レンズ第２面）      4575.452      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -1.46E+1   1.86E-1    -2.08E-1    1.67E-1   -8.02E-2    0.00
２     0.00     -9.56E-2    -1.39E-2    7.35E-3   -9.64E-3    0.00
３     0.00     -1.39E-1    -9.15E-4    3.33E-3    1.04E-2    0.00
４    -2.81E-1  -2.82E-2     2.35E-2   -1.09E-2    7.20E-3    0.00 
５     0.00     -5.13E-2     5.91E-2   -1.72E-2   -9.26E-4    0.00
６    -7.47E-1   9.90E-2    -2.91E-2    2.14E-2   -3.89E-3    0.00
７    -3.26      9.67E-2    -5.16E-2    1.53E-2   -2.53E-3    1.72E-4
８     0.00      2.56E-2    -1.59E-2    2.98E-3   -2.96E-4    9.47E-6
【００８４】
このような条件の下で、ＦＬ／ｆ１＝１．６４１となり、（１）式を満足するものであった。また、ＦＬ／｜ｆ２｜＝１．２５４となり、（２）式を満足するものであった。さらに、ＦＬ／｜ｆ４｜＝１．８６２となり、（３）式を満足するものであった。さらにまた、（ｒ７＋ｒ８）／（−ｒ７＋ｒ８）＝０．９９９となり、（４）式を満足するものであった。
【００８５】
この第６実施例の撮像レンズ１における球面収差、非点収差およびディストーションを図１３に示す。
【００８６】
この結果によれば、球面収差、非点収差およびディストーションのいずれもほぼ満足できる結果となり、十分な光学特性を得ることができることが分かる。
＜第７実施例＞
図１４は、本発明の第７実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【００８７】
この第７実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  3.148      1.09        1.5310      56.0
２（第１レンズ第２面）        -4.253      0.22
３（第２レンズ第１面）         4.376      0.45        1.5850      30.0
４（第２レンズ第２面）         1.710      0.52
５（第３レンズ第１面）        -8.863      1.08        1.5310     56.0
６（第３レンズ第２面）        -1.253      0.53
７（第４レンズ第１面）        -2.068      0.55        1.5310      56.0
８（第４レンズ第２面）         4.599      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -2.96E+1   9.36E-2    -1.23E-1    8.62E-2   -3.21E-2    0.00
２     0.00     -5.72E-2     3.21E-2   -1.33E-2    1.18E-3    0.00
３     0.00     -1.40E-1     7.16E-2   -4.45E-3   -1.82E-3    0.00
４    -6.11E-1  -1.05E-1     4.53E-2   -1.22E-2    4.05E-3    0.00 
５     0.00      1.57E-2     3.01E-2   -2.14E-2    4.48E-3    0.00
６    -8.15E-1   1.31E-2    -4.48E-2    2.50E-2   -4.32E-3    0.00
７    -7.81      4.83E-2    -4.57E-2    1.79E-2   -2.95E-3    1.76E-4
８     0.00     -4.41E-2     5.93E-3   -1.52E-3    2.90E-4   -2.23E-5
【００８８】
このような条件の下で、ＦＬ／ｆ１＝１．３００となり、（１）式を満足するものであった。また、ＦＬ／｜ｆ２｜＝０．９１６となり、（２）式を満足するものであった。さらに、ＦＬ／｜ｆ４｜＝１．７８８となり、（３）式を満足するものであった。さらにまた、（ｒ７＋ｒ８）／（−ｒ７＋ｒ８）＝０．３８０となり、（４）式を満足するものであった。
【００８９】
この第７実施例の撮像レンズ１における球面収差、非点収差およびディストーションを図１５に示す。
【００９０】
この結果によれば、球面収差、非点収差およびディストーションのいずれもほぼ満足できる結果となり、十分な光学特性を得ることができることが分かる。
＜第８実施例＞
図１６は、本発明の第８実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【００９１】
この第８実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  3.105      1.10        1.5310      56.0
２（第１レンズ第２面）        -3.335      0.17
３（第２レンズ第１面）         5.463      0.45        1.5850      30.0
４（第２レンズ第２面）         1.682      0.54
５（第３レンズ第１面）        -7.692      1.09        1.5310     56.0
６（第３レンズ第２面）        -1.238      0.51
７（第４レンズ第１面）        -2.054      0.56        1.5310      56.0
８（第４レンズ第２面）         4.573      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -2.95E+1   9.25E-2    -1.25E-1    8.42E-2   -3.34E-2    0.00
２     0.00     -5.60E-2     3.11E-2   -1.44E-2    6.90E-4    0.00
３     0.00     -1.40E-1     7.18E-2   -4.31E-3   -1.85E-3    0.00
４    -6.04E-1  -1.05E-1     4.55E-2   -1.22E-2    4.04E-3    0.00 
５     0.00      1.67E-2     3.05E-2   -2.14E-2    4.46E-3    0.00
６    -8.15E-1   1.31E-1    -4.50E-2    2.49E-2   -4.32E-3    0.00
７    -7.64      4.84E-2    -4.57E-2    1.79E-2   -2.95E-3    1.75E-4
８     0.00     -4.45E-2     5.95E-3   -1.52E-3    2.90E-4   -2.21E-5
【００９２】
このような条件の下で、ＦＬ／ｆ１＝１．４５０となり、（１）式を満足するものであった。また、ＦＬ／｜ｆ２｜＝１．０７９となり、（２）式を満足するものであった。さらに、ＦＬ／｜ｆ４｜＝１．８００となり、（３）式を満足するものであった。さらにまた、（ｒ７＋ｒ８）／（−ｒ７＋ｒ８）＝０．３８０となり、（４）式を満足するものであった。
【００９３】
この第８実施例の撮像レンズ１における球面収差、非点収差およびディストーションを図１７に示す。
【００９４】
この結果によれば、球面収差、非点収差およびディストーションのいずれもほぼ満足できる結果となり、十分な光学特性を得ることができることが分かる。
＜第９実施例＞
図１８は、本発明の第９実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【００９５】
この第９実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  2.442      1.12        1.5310      56.0
２（第１レンズ第２面）        -2.967      0.09
３（第２レンズ第１面）       -60.157      0.46        1.5850      30.0
４（第２レンズ第２面）         1.924      0.45
５（第３レンズ第１面）       -30.663      1.46        1.5310     56.0
６（第３レンズ第２面）        -1.109      0.41
７（第４レンズ第１面）        -1.375      0.55        1.5310      56.0
８（第４レンズ第２面）         5.170      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -1.54E+1   1.13E-1    -1.19E-1    7.70E-2   -3.87E-2    0.00
２     0.00     -6.02E-2     1.25E-2   -1.01E-2   -3.28E-3    0.00
３     0.00     -1.57E-1     5.57E-2   -1.15E-2    5.04E-3    0.00
４    -3.52E-1  -9.34E-2    4.63E-2   -1.63E-2    5.13E-3    0.00 
５     0.00      2.57E-4     3.56E-2   -2.06E-2    4.05E-3    0.00
６    -8.24E-1   1.52E-1    -5.84E-2    2.44E-2   -3.30E-3    0.00
７    -3.98      5.11E-2    -4.92E-2    1.72E-2   -2.86E-3    2.07E-4
８     0.00     -3.92E-2     5.80E-3   -1.95E-3    3.34E-4   -2.43E-5
【００９６】
このような条件の下で、ＦＬ／ｆ１＝１．７１８となり、（１）式を満足するものであった。また、ＦＬ／｜ｆ２｜＝１．４７５となり、（２）式を満足するものであった。さらに、ＦＬ／｜ｆ４｜＝２．３５０となり、（３）式を満足するものであった。さらにまた、（ｒ７＋ｒ８）／（−ｒ７＋ｒ８）＝０．５８０となり、（４）式を満足するものであった。
【００９７】
この第９実施例の撮像レンズ１における球面収差、非点収差およびディストーションを図１９に示す。
【００９８】
この結果によれば、球面収差、非点収差およびディストーションのいずれもほぼ満足できる結果となり、十分な光学特性を得ることができることが分かる。
＜第１０実施例＞
図２０は、本発明の第１０実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【００９９】
この第１０実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  2.058      1.07        1.5310      56.0
２（第１レンズ第２面）        -4.664      0.10
３（第２レンズ第１面）       -11.550      0.45        1.5850      30.0
４（第２レンズ第２面）         2.769      0.58
５（第３レンズ第１面）        -4.191      1.10        1.5310     56.0
６（第３レンズ第２面）        -1.079      0.55
７（第４レンズ第１面）        -1.401      0.55        1.5310      56.0
８（第４レンズ第２面）        16.860      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -1.45E+1   1.84E-1    -2.05E-1    1.64E-1   -7.82E-2    0.00
２     0.00     -9.85E-2    -1.20E-2    7.54E-3   -9.29E-3    0.00
３     0.00     -1.37E-1     3.15E-4    2.81E-3    9.95E-3    0.00
４     1.65E-1  -2.47E-2    2.26E-2   -1.07E-2    6.95E-3    0.00 
５     0.00     -5.18E-2     5.72E-2   -1.84E-2   -2.93E-4    0.00
６    -7.51E-1   1.00E-1    -2.92E-2    1.84E-2   -3.28E-3    0.00
７    -3.51      9.43E-2    -5.18E-2    1.55E-2   -2.57E-3    1.73E-4
８     0.00      1.62E-2    -1.34E-2    2.65E-3   -2.81E-4    9.91E-6
【０１００】
このような条件の下で、ＦＬ／ｆ１＝１．６４０となり、（１）式を満足するものであった。また、ＦＬ／｜ｆ２｜＝１．２４２となり、（２）式を満足するものであった。さらに、ＦＬ／｜ｆ４｜＝１．９３７となり、（３）式を満足するものであった。さらにまた、（ｒ７＋ｒ８）／（−ｒ７＋ｒ８）＝０．８４７となり、（４）式を満足するものであった。
【０１０１】
この第１０実施例の撮像レンズ１における球面収差、非点収差およびディストーションを図２１に示す。
【０１０２】
この結果によれば、球面収差、非点収差およびディストーションのいずれもほぼ満足できる結果となり、十分な光学特性を得ることができることが分かる。
＜第１１実施例＞
図２２は、本発明の第１１実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【０１０３】
この第１１実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  2.829      1.12        1.5310      56.0
２（第１レンズ第２面）        -2.499      0.15
３（第２レンズ第１面）        29.967      0.45        1.5850      30.0
４（第２レンズ第２面）         1.802      0.56
５（第３レンズ第１面）        -6.276      1.07        1.5310     56.0
６（第３レンズ第２面）        -1.275      0.52
７（第４レンズ第１面）        -2.204      0.55        1.5310      56.0
８（第４レンズ第２面）         4.991      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -2.31E+1   9.26E-2    -1.28E-1    7.80E-2   -3.77E-2    0.00
２     0.00     -4.50E-2     1.18E-2   -8.29E-3   -2.57E-3    0.00
３     0.00     -1.33E-1     7.18E-2   -8.69E-3    2.05E-4    0.00
４    -4.35E-1  -1.01E-1    5.23E-2   -1.54E-2    4.23E-3    0.00 
５     0.00      1.06E-2     1.72E-2   -1.17E-2    1.59E-3    0.00
６    -7.02E-1   1.23E-1    -4.15E-2    2.12E-2   -3.38E-3    0.00
７    -8.60      4.86E-2    -4.69E-2    1.75E-2   -2.80E-3    1.63E-4
８     0.00     -3.20E-2     1.82E-3   -1.11E-3    2.89E-4   -2.39E-5
【０１０４】
このような条件の下で、ＦＬ／ｆ１＝１．７３２となり、（１）式を満足するものであった。また、ＦＬ／｜ｆ２｜＝１．４２１となり、（２）式を満足するものであった。さらに、ＦＬ／｜ｆ４｜＝１．６６５となり、（３）式を満足するものであった。さらにまた、（ｒ７＋ｒ８）／（−ｒ７＋ｒ８）＝０．３８７となり、（４）式を満足するものであった。
【０１０５】
この第１１実施例の撮像レンズ１における球面収差、非点収差およびディストーションを図２３に示す。
【０１０６】
この結果によれば、球面収差、非点収差およびディストーションのいずれもほぼ満足できる結果となり、十分な光学特性を得ることができることが分かる。
＜第１２実施例＞
図２４は、本発明の第１２実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【０１０７】
この第１２実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  2.622      0.90        1.5310      56.0
２（第１レンズ第２面）        -4.040      0.15
３（第２レンズ第１面）         6.974      0.47        1.5850      30.0
４（第２レンズ第２面）         1.581      0.47
５（第３レンズ第１面）        33.393      1.46        1.5310     56.0
６（第３レンズ第２面）        -1.488      0.55
７（第４レンズ第１面）        -2.398      0.55        1.5310      56.0
８（第４レンズ第２面）         4.746      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -1.81E+1   1.09E-1    -1.26E-1    8.73E-2   -4.27E-2    0.00
２     0.00     -4.42E-2     2.36E-3   -7.23E-3   -5.30E-3    0.00
３     0.00     -1.47E-1     5.62E-2   -1.45E-2    3.80E-3    0.00
４    -7.19E-1  -1.18E-1    5.60E-2   -1.71E-2    3.80E-3    0.00 
５     0.00      2.13E-2     9.10E-3   -6.07E-3    1.07E-3    0.00
６    -5.78E-1   1.14E-1    -3.92E-2    1.97E-2   -2.86E-3    0.00
７    -9.30      4.22E-2    -4.70E-2    1.79E-2   -2.76E-3    1.48E-1
８     0.00     -2.55E-2    -8.56E-4   -5.60E-4    2.56E-4   -2.38E-5
【０１０８】
このような条件の下で、ＦＬ／ｆ１＝１．４８６となり、（１）式を満足するものであった。また、ＦＬ／｜ｆ２｜＝１．２９８となり、（２）式を満足するものであった。さらに、ＦＬ／｜ｆ４｜＝１．５９８となり、（３）式を満足するものであった。さらにまた、（ｒ７＋ｒ８）／（−ｒ７＋ｒ８）＝０．３２９となり、（４）式を満足するものであった。
【０１０９】
この第１２実施例の撮像レンズ１における球面収差、非点収差およびディストーションを図２５に示す。
【０１１０】
この結果によれば、球面収差、非点収差およびディストーションのいずれもほぼ満足できる結果となり、十分な光学特性を得ることができることが分かる。
＜第１３実施例＞
図２６は、本発明の第１３実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【０１１１】
この第１３実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  3.224      1.00        1.5310      56.0
２（第１レンズ第２面）       -12.209      0.32
３（第２レンズ第１面）         3.289      0.47        1.5850      30.0
４（第２レンズ第２面）         1.811      0.48
５（第３レンズ第１面）       -12.328      0.97        1.5310      56.0
６（第３レンズ第２面）        -1.232      0.50
７（第４レンズ第１面）        -2.399      0.64        1.5310      56.0
８（第４レンズ第２面）         4.225      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -3.19E+1   9.72E-2    -1.18E-1    8.99E-2   -3.42E-2    0.00
２     0.00     -5.84E-2     3.91E-2   -1.28E-2    6.30E-5    0.00
３     0.00     -1.41E-1     6.98E-2   -4.42E-3   -1.96E-3    0.00
４    -6.47E-1  -1.06E-1    4.46E-2   -1.23E-2    3.74E-3    0.00 
５     0.00      1.07E-2     3.04E-2   -2.07E-2    4.48E-3    0.00
６    -7.97E-1   1.27E-1    -4.46E-2    2.51E-2   -4.26E-3    0.00
７    -1.03E+1   4.67E-2    -4.57E-2    1.79E-2   -2.95E-3    1.70E-4
８     0.00     -4.38E-2     5.85E-3   -1.44E-3    2.90E-4   -2.36E-5
【０１１２】
このような条件の下で、ＦＬ／ｆ１＝０．９５０となり、（１）式を満足するものであった。また、ＦＬ／｜ｆ２｜＝０．６０１となり、（２）式を満足するものであった。さらに、ＦＬ／｜ｆ４｜＝１．６７４となり、（３）式を満足するものであった。さらにまた、（ｒ７＋ｒ８）／（−ｒ７＋ｒ８）＝０．２７６となり、（４）式を満足するものであった。
【０１１３】
この第１３実施例の撮像レンズ１における球面収差、非点収差およびディストーションを図２７に示す。
【０１１４】
この結果によれば、球面収差、非点収差およびディストーションのいずれもほぼ満足できる結果となり、十分な光学特性を得ることができることが分かる。
＜第１４実施例＞
図２８は、本発明の第１４実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【０１１５】
この第１４実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  3.182      0.99        1.5310      56.0
２（第１レンズ第２面）        -5.964      0.26
３（第２レンズ第１面）         3.798      0.45        1.5850      30.0
４（第２レンズ第２面）         1.736      0.50
５（第３レンズ第１面）       -11.097      1.09        1.5310      56.0
６（第３レンズ第２面）        -1.258      0.53
７（第４レンズ第１面）        -2.286      0.55        1.5310      56.0
８（第４レンズ第２面）         4.239      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -3.13E+1   9.56E-2    -1.21E-1    8.73E-2   -3.31E-2    0.00
２     0.00     -5.89E-2     3.51E-2   -1.31E-2    3.09E-4    0.00
３     0.00     -1.40E-1     7.07E-2   -4.56E-3   -1.87E-3    0.00
４    -6.20E-1  -1.06E-1    4.49E-2   -1.22E-2    3.94E-3    0.00 
５     0.00      1.42E-2     3.02E-2   -2.10E-2    4.56E-3    0.00
６    -7.98E-1   1.28E-1    -4.48E-2    2.50E-2   -4.30E-3    0.00
７    -9.38      4.74E-2    -4.58E-2    1.79E-2   -2.95E-3    1.74E-4
８     0.00     -4.55E-2     6.00E-3   -1.46E-3    2.90E-4   -2.30E-5
【０１１６】
このような条件の下で、ＦＬ／ｆ１＝１．１５０となり、（１）式を満足するものであった。また、ＦＬ／｜ｆ２｜＝０．７８８となり、（２）式を満足するものであった。さらに、ＦＬ／｜ｆ４｜＝１．７１９となり、（３）式を満足するものであった。さらにまた、（ｒ７＋ｒ８）／（−ｒ７＋ｒ８）＝０．２９９となり、（４）式を満足するものであった。
【０１１７】
この第１４実施例の撮像レンズ１における球面収差、非点収差およびディストーションを図２９に示す。
【０１１８】
この結果によれば、球面収差、非点収差およびディストーションのいずれもほぼ満足できる結果となり、十分な光学特性を得ることができることが分かる。
＜第１５実施例＞
図３０は、本発明の第１５実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【０１１９】
この第１５実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  2.810      1.35        1.6935      53.2
２（第１レンズ第２面）        -2.182      0.10
３（第２レンズ第１面）        -1.820      0.45        1.5850      30.0
４（第２レンズ第２面）         7.053      0.65
５（第３レンズ第１面）        -3.493      1.02        1.5310      56.0
６（第３レンズ第２面）        -1.082      0.33
７（第４レンズ第１面）        -1.573      0.55        1.5310      56.0
８（第４レンズ第２面）         8.876      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -2.54E+1   1.19E-1    -1.67E-1    1.40E-1   -7.79E-2    0.00
２     0.00     -5.82E-2     1.70E-2   -8.78E-3   -1.90E-3    0.00
３     0.00      3.78E-2    -1.30E-2    5.32E-3    3.20E-3    0.00
４     1.05E+1   1.04E-1    -4.17E-2    1.44E-2    1.39E-3    0.00 
５     0.00     -5.86E-2     4.55E-2   -2.19E-2    2.08E-3    0.00
６    -9.45E-1   1.18E-1    -4.64E-2    1.68E-2   -2.37E-3    0.00
７    -4.50      8.48E-2    -5.20E-2    1.63E-2   -2.62E-3    1.67E-4
８     0.00     -1.26E-2    -2.94E-3    2.20E-4    4.22E-5   -8.03E-6
【０１２０】
このような条件の下で、ＦＬ／ｆ１＝２．３４５となり、（１）式を満足するものであった。また、ＦＬ／｜ｆ２｜＝１．９３１となり、（２）式を満足するものであった。さらに、ＦＬ／｜ｆ４｜＝１．８８９となり、（３）式を満足するものであった。さらにまた、（ｒ７＋ｒ８）／（−ｒ７＋ｒ８）＝０．６９９となり、（４）式を満足するものであった。
【０１２１】
この第１５実施例の撮像レンズ１における球面収差、非点収差およびディストーションを図３１に示す。
【０１２２】
この結果によれば、球面収差、非点収差およびディストーションのいずれもほぼ満足できる結果となり、十分な光学特性を得ることができることが分かる。
＜第１６実施例＞
図３２は、本発明の第１６実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【０１２３】
この第１６実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  2.843      1.40        1.6935      53.2
２（第１レンズ第２面）        -1.831      0.10
３（第２レンズ第１面）        -1.540      0.45        1.5850      30.0
４（第２レンズ第２面）         7.696      0.61
５（第３レンズ第１面）        -3.723      0.97        1.5310      56.0
６（第３レンズ第２面）        -1.070      0.23
７（第４レンズ第１面）        -1.500      0.69        1.5310      56.0
８（第４レンズ第２面）         9.748      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -3.05E+1   1.37E-1    -2.15E-1    2.01E-1   -1.16E-1    0.00
２     0.00     -2.70E-2     8.34E-3   -9.49E-3   -4.66E-4    0.00
３     0.00      1.01E-1    -4.91E-2    1.70E-2    5.63E-3    0.00
４     1.04E+1   1.25E-1    -6.08E-2    2.01E-2    1.59E-3    0.00 
５     0.00     -4.42E-2     4.05E-2   -1.35E-2   -7.24E-4    0.00
６    -1.12      1.35E-1    -7.72E-2    3.54E-2   -5.49E-3    0.00
７    -5.02      5.13E-2    -4.44E-2    1.70E-2   -2.79E-3    1.67E-4
８     0.00     -2.60E-2     9.24E-4   -4.76E-4    9.97E-5   -1.07E-5
【０１２４】
このような条件の下で、ＦＬ／ｆ１＝２．５５０となり、（１）式を満足するものであった。また、ＦＬ／｜ｆ２｜＝２．１７５となり、（２）式を満足するものであった。さらに、ＦＬ／｜ｆ４｜＝１．９４８となり、（３）式を満足するものであった。さらにまた、（ｒ７＋ｒ８）／（−ｒ７＋ｒ８）＝０．７３３となり、（４）式を満足するものであった。
【０１２５】
この第１６実施例の撮像レンズ１における球面収差、非点収差およびディストーションを図３３に示す。
【０１２６】
この結果によれば、球面収差、非点収差およびディストーションのいずれもほぼ満足できる結果となり、十分な光学特性を得ることができることが分かる。
＜第１７実施例＞
図３４は、本発明の第１７実施例を示したもので、本実施例においても、第４レンズ６の第２面６ｂと撮像面８との間に、フィルタ７としてのカバーガラスを配置しており、また、絞り２は、その光軸９方向における位置が、第１レンズ３における第１面３ａの面頂点の位置と一致している。
【０１２７】
この第１６実施例の撮像レンズ１は、以下の条件に設定されている。
レンズデータ
ＦＬ＝４．６５ｍｍ、Ｆｎｏ＝２．８、ω＝３１°
面番号                          ｒ        ｄ        ｎｄ       νｄ
（物点）                                  ∞
１（第１レンズ第１面）（絞り）  3.278      1.50        1.6935      53.2
２（第１レンズ第２面）        -1.493      0.10
３（第２レンズ第１面）        -1.532      0.45        1.5850      30.0
４（第２レンズ第２面）         4.309      0.64
５（第３レンズ第１面）        -4.310      1.09        1.5310      56.0
６（第３レンズ第２面）        -1.066      0.17
７（第４レンズ第１面）        -1.511      0.70        1.5310      56.0
８（第４レンズ第２面）         9.614      0.60
１０（カバーガラス第１面）      ∞       0.30        1.5168      64.2
１１（カバーガラス第２面）      ∞
（像面）
面番号   ｋ        Ａ         Ｂ        Ｃ         Ｄ        Ｅ
１    -4.99E+1   1.33E-1    -2.39E-1    2.28E-1   -1.29E-1    0.00
２     0.00      6.33E-2    -3.41E-2    9.21E-3   -5.69E-4    0.00
３     0.00      1.49E-1    -8.32E-2    2.42E-2    5.40E-3    0.00
４    -3.57E+1   1.27E-1    -5.56E-2    1.46E-2    1.10E-3    0.00
５     0.00     -5.48E-2     4.33E-2   -9.04E-3   -1.60E-3    0.00
６    -1.09      1.32E-1    -8.63E-2    3.92E-2   -5.65E-3    0.00
７    -5.18      2.65E-2    -3.81E-2    1.81E-2   -3.31E-3    2.11E-4
８     0.00     -2.77E-2     4.41E-4    1.52E-4   -2.57E-5   -2.06E-6
【０１２８】
このような条件の下で、ＦＬ／ｆ１＝２．７５０となり、（１）式を満足するものであった。また、ＦＬ／｜ｆ２｜＝２．４９６となり、（２）式を満足するものであった。さらに、ＦＬ／｜ｆ４｜＝１．９４０となり、（３）式を満足するものであった。さらにまた、（ｒ７＋ｒ８）／（−ｒ７＋ｒ８）＝０．７２８となり、（４）式を満足するものであった。
【０１２９】
この第１７実施例の撮像レンズ１における球面収差、非点収差およびディストーションを図３５に示す。
【０１３０】
この結果によれば、球面収差、非点収差およびディストーションのいずれもほぼ満足できる結果となり、十分な光学特性を得ることができることが分かる。
【０１３１】
なお、本発明は、前述した実施の形態に限定されるものではなく、必要に応じて種々の変更が可能である。
【図面の簡単な説明】
【０１３２】
【図１】本発明に係る撮像レンズおよび撮像装置の実施の一形態を示す概略構成図
【図２】本発明に係る撮像レンズおよび撮像装置の第１実施例を示す概略構成図
【図３】図２に示す撮像レンズにおける球面収差、非点収差およびディストーションを示す説明図
【図４】本発明に係る撮像レンズおよび撮像装置の第２実施例を示す概略構成図
【図５】図４に示す撮像レンズにおける球面収差、非点収差およびディストーションを示す説明図
【図６】本発明に係る撮像レンズおよび撮像装置の第３実施例を示す概略構成図
【図７】図６に示す撮像レンズにおける球面収差、非点収差およびディストーションを示す説明図
【図８】本発明に係る撮像レンズおよび撮像装置の第４実施例を示す概略構成図
【図９】図８に示す撮像レンズにおける球面収差、非点収差およびディストーションを示す説明図
【図１０】本発明に係る撮像レンズおよび撮像装置の第５実施例を示す概略構成図
【図１１】図１０に示す撮像レンズにおける球面収差、非点収差およびディストーションを示す説明図
【図１２】本発明に係る撮像レンズおよび撮像装置の第６実施例を示す概略構成図
【図１３】図１２に示す撮像レンズにおける球面収差、非点収差およびディストーションを示す説明図
【図１４】本発明に係る撮像レンズおよび撮像装置の第７実施例を示す概略構成図
【図１５】図１４に示す撮像レンズにおける球面収差、非点収差およびディストーションを示す説明図
【図１６】本発明に係る撮像レンズおよび撮像装置の第８実施例を示す概略構成図
【図１７】図１６に示す撮像レンズにおける球面収差、非点収差およびディストーションを示す説明図
【図１８】本発明に係る撮像レンズおよび撮像装置の第９実施例を示す概略構成図
【図１９】図１８に示す撮像レンズにおける球面収差、非点収差およびディストーションを示す説明図
【図２０】本発明に係る撮像レンズおよび撮像装置の第１０実施例を示す概略構成図
【図２１】図２０に示す撮像レンズにおける球面収差、非点収差およびディストーションを示す説明図
【図２２】本発明に係る撮像レンズおよび撮像装置の第１１実施例を示す概略構成図
【図２３】図２２に示す撮像レンズにおける球面収差、非点収差およびディストーションを示す説明図
【図２４】本発明に係る撮像レンズおよび撮像装置の第１２実施例を示す概略構成図
【図２５】図２４に示す撮像レンズにおける球面収差、非点収差およびディストーションを示す説明図
【図２６】本発明に係る撮像レンズおよび撮像装置の第１３実施例を示す概略構成図
【図２７】図２６に示す撮像レンズにおける球面収差、非点収差およびディストーションを示す説明図
【図２８】本発明に係る撮像レンズおよび撮像装置の第１４実施例を示す概略構成図
【図２９】図２８に示す撮像レンズにおける球面収差、非点収差およびディストーションを示す説明図
【図３０】本発明に係る撮像レンズおよび撮像装置の第１５実施例を示す概略構成図
【図３１】図３０に示す撮像レンズにおける球面収差、非点収差およびディストーションを示す説明図
【図３２】本発明に係る撮像レンズおよび撮像装置の第１６実施例を示す概略構成図
【図３３】図３２に示す撮像レンズにおける球面収差、非点収差およびディストーションを示す説明図
【図３４】本発明に係る撮像レンズおよび撮像装置の第１７実施例を示す概略構成図
【図３５】図３４に示す撮像レンズにおける球面収差、非点収差およびディストーションを示す説明図
【符号の説明】
【０１３３】
１  撮像レンズ
２  絞り
３  第１レンズ
４  第２レンズ
５  第３レンズ
６  第４レンズ
【図１】
2008185880.tif 000003
【図２】
2008185880.tif 000004
【図３】
2008185880.tif 000005
【図４】
2008185880.tif 000006
【図５】
2008185880.tif 000007
【図６】
2008185880.tif 000008
【図７】
2008185880.tif 000009
【図８】
2008185880.tif 000010
【図９】
2008185880.tif 000011
【図１０】
2008185880.tif 000012
【図１１】
2008185880.tif 000013
【図１２】
2008185880.tif 000014
【図１３】
2008185880.tif 000015
【図１４】
2008185880.tif 000016
【図１５】
2008185880.tif 000017
【図１６】
2008185880.tif 000018
【図１７】
2008185880.tif 000019
【図１８】
2008185880.tif 000020
【図１９】
2008185880.tif 000021
【図２０】
2008185880.tif 000022
【図２１】
2008185880.tif 000023
【図２２】
2008185880.tif 000024
【図２３】
2008185880.tif 000025
【図２４】
2008185880.tif 000026
【図２５】
2008185880.tif 000027
【図２６】
2008185880.tif 000028
【図２７】
2008185880.tif 000029
【図２８】
2008185880.tif 000030
【図２９】
2008185880.tif 000031
【図３０】
2008185880.tif 000032
【図３１】
2008185880.tif 000033
【図３２】
2008185880.tif 000034
【図３３】
2008185880.tif 000035
【図３４】
2008185880.tif 000036
【図３５】
2008185880.tif 000037